(57)【要約】      （修正有）【課題】棚の貯蔵物載置面積を確保しつつ、棚の取り付け、取り外しが可能な利便性の高い冷蔵庫を提供する。【解決手段】貯蔵室内に配置された棚１１と、貯蔵室の中央寄りであって貯蔵室側へ突出する背面壁８２又は背面壁８２に設けた構造物８０と、背面壁８２又は構造物８０の前方に位置する中央仕切り５１と、貯蔵室の側壁８１及び中央仕切り５１にそれぞれ設けられて、棚１１の上面１１ａを貯蔵物載置面とした状態、又は下面を貯蔵物載置面とした状態で支持する支持部と、を備え、棚１１の中央寄りの後端は、背面壁８２又は構造物８０の奥行き寸法内に位置し、棚１１の左後端８５及び右後端８６は、中央寄りの後端よりも前方に位置して左右対称となるように形成した。【選択図】図９
2014035164.tif 000002
【特許請求の範囲】
【請求項１】
貯蔵室内に配置された棚と、
前記貯蔵室の中央寄りであって該貯蔵室側へ突出する背面壁又は該背面壁に設けた構造物と、
前記背面壁又は前記構造物の前方に位置する中央仕切りと、
前記貯蔵室の側壁及び前記中央仕切りにそれぞれ設けられて、前記棚の上面を貯蔵物載置面とした状態、又は下面を貯蔵物載置面とした状態で支持する支持部と、を備え、
前記棚の中央寄りの後端は、前記背面壁又は前記構造物の奥行き寸法内に位置し、前記棚の左後端及び右後端は、前記中央寄りの後端よりも前方に位置して左右対称となるように形成したことを特徴とする冷蔵庫。
【請求項２】
前記貯蔵室側へ突出する前記背面壁又は前記構造物は冷気ダクトを構成し、該冷気ダクトに形成した冷気吐出口よりも下方に前記棚が位置して、
前記貯蔵室内の背面角部と前記棚との間には冷気通路が形成されたことを特徴とする、請求項１に記載の冷蔵庫。
【発明の詳細な説明】
【技術分野】
【０００１】
本発明は、冷蔵庫に関する。
【背景技術】
【０００２】
近年、冷蔵庫の高さを高くすると共に冷蔵庫の奥行きを増大して、冷蔵庫内の収納スペースを増大した大型冷蔵庫を購入する家庭が増加している。また食品の多様化に伴い、様々な大きさの食品及びケース類も増加している。しかし、貯蔵空間の構成はさまざまなバリエーションの食品形状に対して、対応が難しくなっている。
【０００３】
そこで、本技術分野の背景技術として、特許第３６４８１３８号公報（特許文献１）、特開２０１０−１３９０９６号公報（特許文献２）がある。
【０００４】
特許文献１には、「冷蔵庫内に配設された棚（２０）と、前記棚（２０）を載置するフレーム（１）の上下方向に軸支されたスクリュー形軸（４）と噛み合う噛合部（１６ａ）及び一端に係止部（１６ｂ）を有したフランジ部（１６ｅ）を持つ移動手段（１６）と、前記移動手段（１６）が上方より載置面（１８ｄ）に載置して前記係止部（１６ｂ）が係合する係合部（１８ｂ）および前記載置面（１８ｄ）から延出した挿入片（１８ａ）を有した保持手段（１８）と、前記挿入片（１８ａ）が挿着する挟持部（１７ａ）を有すると共に、前記挟持部（１７ａ）の入口側に前記係合部（１８ｂ）及び前記係止部（１６ｂ）が当接して止まる当接部（１７ｂ）を持つ固定手段（１７）とを備え、前記固定手段（１７）を冷蔵庫内壁に固定し、前記保持手段（１８）を介して前記移動手段（１６）を前記固定手段（１７）に保持させて前記スクリュー形軸（４）が回転することによって前記フレーム（１）を上下方向に移動可能とした棚を設けたこと」が記載されている（請求項１）。
【０００５】
また、特許文献２には、「貯蔵物を載置する載置棚１０が貯蔵室２の両側壁に設けられる支持部材２０上に橋架される冷却庫１において、載置棚１０が水平に配される平面部１３と、平面部１３の両側端に前後に延びて設けられる上部レール１４と、上部レール１４の下方に配されて前後に延びるとともに空隙部１５ｃを介して前後の第１、第２レール部１５ａ、１５ｂに分割された下部レール１５とを有するとともに、支持部材２０が空隙部１５ｃを通過可能な第１支持部２１と、第２レール部１５ｂが通過可能な空隙部２３を介して第１支持部２１の後方に配される第２支持部２２とを有し、支持部材２０上に上部レール１４が配された状態と、支持部材２０上に下部レール１４が配された状態とに載置棚１０を移設可能にし、第２支持部２２の前面２２ａを前方が下がるように傾斜した。」ことが記載されている（要約欄）。
【先行技術文献】
【特許文献】
【０００６】
【特許文献１】特許第３６４８１３８号公報
【特許文献２】特開２０１０−１３９０９６号公報
【発明の概要】
【発明が解決しようとする課題】
【０００７】
特許文献１記載の構成では、構造が複雑化しているため、取り外しが容易でなく、清掃性も悪化する。また、部品点数が多くなることで、製品原価も高くなってしまう。
【０００８】
特許文献２記載の構成では、棚の構造の追加により、棚が大型化してしまう。また、棚自体が重くなり、取り外し操作が容易ではない。
【０００９】
また、特許文献１，２記載のように棚の取り付け、取り外し時の操作性を向上させるために特殊な構成を採用した場合、棚の貯蔵物載置面積の縮小を招く。
【００１０】
そこで本発明は、棚の貯蔵物載置面積を確保しつつ、棚の取り付け、取り外しが可能な利便性の高い冷蔵庫を提供することを目的とする。
【課題を解決するための手段】
【００１１】
上記課題を解決するために、例えば特許請求の範囲に記載の構成を採用する。本願は上記課題を解決する手段を複数含んでいるが、その一例を挙げるならば、貯蔵室内に配置された棚と、前記貯蔵室の中央寄りであって該貯蔵室側へ突出する背面壁又は該背面壁に設けた構造物と、前記背面壁又は前記構造物の前方に位置する中央仕切りと、前記貯蔵室の側壁及び前記中央仕切りにそれぞれ設けられて、前記棚の上面を貯蔵物載置面とした状態、又は下面を貯蔵物載置面とした状態で支持する支持部と、を備え、前記棚の中央寄りの後端は、前記背面壁又は前記構造物の奥行き寸法内に位置し、前記棚の左後端及び右後端は、前記中央寄りの後端よりも前方に位置して左右対称となるように形成したことを特徴とする。
【発明の効果】
【００１２】
本発明によれば、棚の貯蔵物載置面積を確保しつつ、棚の取り付け、取り外しが可能な利便性の高い冷蔵庫を提供することができる。
【図面の簡単な説明】
【００１３】
【図１】本発明の実施例における冷蔵庫の構成を示す斜視図。
【図２】本発明の実施例における冷蔵庫の要部説明図。
【図３】本発明の実施例における高さ可変棚を示す説明図。
【図４】本発明の実施例における棚の高さ可変構成を示す説明図。
【図５】本発明の実施例における高さ可変棚と支持部の構造を説明する図。
【図６】本発明の実施例における冷蔵室の空間を仕切る仕切りの構造を説明する図。
【図７】本発明の実施例における高さ可変棚と仕切りの嵌合関係を説明する図。
【図８】図４に示す冷蔵庫と異なる貯蔵室形状を説明する図。
【図９】図８に示す棚の取り付け状態を説明する要部断面説明図。
【図１０】図８に示す棚の高さ位置を変えた図。
【図１１】図１０に示す棚を差し換えて、下面を貯蔵物載置面とした状態を示す図。
【発明を実施するための形態】
【００１４】
本発明の実施の形態について、以下図面に基づいて説明する。まず、実施例の冷蔵庫の全体構成に関して、図１，図２を用いて説明する。図１は、本発明の実施例における冷蔵庫の構成を示す斜視図である。図２は、本発明の実施例における冷蔵庫の要部説明図である。
【００１５】
冷蔵庫本体１には、冷蔵室２，製氷室４，上段冷凍室３，冷凍室５，野菜室６が設けられて、各貯蔵室の前面開口部を閉塞する扉がそれぞれ設けられている。冷蔵室扉２ａ，２ｂは冷蔵室２の前面開口部を閉じる扉、上段冷凍室扉３ａは上段冷凍室３の前面開口部を閉じる扉、製氷室扉４ａは製氷室３の前面開口部を閉じる扉、冷凍室扉５ａは冷凍室５の前面開口部を閉じる扉、野菜室扉６ａは野菜室６の前面開口部を閉じる扉である。冷蔵室扉２ａ，２ｂは、左右の扉が両端のヒンジ中央から両側に開く両開きの扉で構成されている。上段冷凍室扉３ａ，製氷室扉４ａ，冷凍室扉５ａ，野菜室扉６ａは引出し式の扉によって構成され、引出し扉とともに貯蔵室内の引出し容器が引出される。
【００１６】
冷蔵室２内部には、図２（ａ）に示すように、食品を載置するための棚１１，７１，７２が複数段設けられている。棚１１は、使用者の操作によって高さを可変できる構成である。棚１１の支持用に、冷蔵室２内部の側面の壁には、支持部６１を複数有している。支持部６１は、図２（ｂ）に示す通り、第一の位置の支持部６１ａと第三の位置の支持部６１ｂとが、異なる高さに設けている。棚１１は、高さの異なる支持部６１ａ，６１ｂで位置を入れ替え、使用高さを変更できる。
【００１７】
次に、図３を用いて、本実施例の高さを可変させる棚１１の概略を説明する。図３は棚１１の斜視図である。
【００１８】
棚１１は、図３（ａ）の状態から上面１１ａ（第一の面）と下面１１ｂ（第二の面）を裏返すことで図３（ｂ）の状態になる。このとき、図３（ａ）の状態の棚１１は上面１１ａが貯蔵物載置面となり、図３（ｂ）の状態の棚１１は下面１１ｂが貯蔵物載置面となる。図３（ｂ）の下面１１ｂを貯蔵物載置面とした状態の棚１１で説明すると、右側部から背部右角部にかけて上方に立ち上がる側面壁１２が設けられている。なお、上面１１ａを貯蔵物載置面とした状態の棚１１であれば、側面壁１２は左側部から背部左角部にかけて下方に位置することになる。また、側面壁１２上端付近には、外方へ延在する支持部受け１３を備える。
【００１９】
なお、側面壁１２は、少なくとも左右のいずれかに備えていればよい。
【００２０】
次に、図４を用いて、本実施例の冷蔵室における棚１１の高さ可変位置について説明する。
【００２１】
図４は、本発明の実施例における棚の高さ可変構成を示す説明図であり、棚１１の高さを可変させた位置をそれぞれ図４（ａ）から（ｄ）で示している。
【００２２】
図４に示すように、本実施例における冷蔵庫では、棚１１の位置を入れ替えることによって、４段階の高さ調節を行える。図４（ａ）は、棚１１の位置を変更し、食品を収納する高さを変更できる範囲の中で、最も高い位置となる。このときの棚１１と冷蔵室２内上面までの高さはｈ１、棚１１とその下に配置した棚７２までの高さはｈ２となる。例えば、高さｈ１の空間には、一般的なジャムや味噌を容器ごと収納可能であり、高さｈ２の空間には、背の高いチューブ類を立てた状態で収納可能である。
【００２３】
図４（ｂ）は、図４（ａ）に次いで食品を収納する高さが高い位置である。このときの棚１１と冷蔵室２内上面までの高さはｈ３、棚１１とその下に配置した棚７２までの高さはｈ４となる。例えば、高さｈ３の空間には、３５０ｍｌの缶飲料が立てた状態で収納可能であり、高さｈ４の空間には、５００ｍｌの缶飲料が立てた状態で収納可能である。
【００２４】
図４（ｃ）は図４（ｂ）に次いで棚が高い位置にある。このときの棚１１と冷蔵室２内上面までの高さはｈ５、棚１１とその下に配置した棚７２までの高さはｈ６となる。例えば、高さｈ５の空間には、５００ｍｌの缶飲料が立てた状態で収納可能であり、高さｈ６の空間には、３５０ｍｌの缶飲料が立てた状態で収納可能である。
【００２５】
図４（ｄ）が最も高さ位置が低い状態となる。このときの棚１１と冷蔵室２内上面までの高さはｈ７、棚１１とその下に配置した棚７２までの高さはｈ８となる。例えば、高さｈ７の空間には、１Ｌの牛乳パックが立てた状態で収納可能であり、高さｈ８の空間には、２Ｌのペットボトル入り飲料を横にした状態で収納可能である。
【００２６】
また、棚１１と冷蔵室２内上面までの高さｈ１，ｈ３，ｈ５，ｈ７と、棚１１から棚７２までの距離ｈ２，ｈ４，ｈ６，ｈ８は、それぞれ違う値となっており、大小関係はｈ１＜ｈ３＜ｈ５＜ｈ７、及びｈ８＜ｈ６＜ｈ４＜ｈ２となっている。また、ｈ８＜ｈ１，ｈ６＜ｈ３，ｈ４＜ｈ５，ｈ２＜ｈ７となっている。つまりは８種類の食品収納高さを得ることができるようになっている。
【００２７】
例えば、棚１１の上の空間が下の空間より高い状態（図４（ｃ）（ｄ））と、上の空間が下の空間より低い状態（図４（ａ）（ｂ））とを使用者が設定可能であり、前者の中でも高さを２段階に調整でき、後者の中でも高さを２段階に調整できる。
【００２８】
次に、図５を用いて、棚１１の位置可変の構造と仕組みを説明する。図５は、本発明の実施例における高さ可変棚と支持部の構造を説明する図である。
【００２９】
図５（ａ）のように、棚１１は上面１１ａを上向きにし、冷蔵室２の側面に配置した第一の位置の支持部６１ａに支持部受け１３を載せて、中央仕切り５１に配置した第二の位置の支持部５１ａに棚１１の先端（図示右端部）を載せることで図４（ｃ）の状態にできる。
【００３０】
同様に、冷蔵室２の側面に配置した第三の位置の支持部６１ｂに支持部受け１３を、中央仕切り５１に配置した第四の位置の支持部５１ｂへ棚１１の先端（図示右端部）を載せることで、図４（ａ）の状態にできる。
【００３１】
また、図５（ｂ）のように、棚１１の下面１１ｂを上向きにし、冷蔵室２に設けた第一の位置の支持部６１ａに棚１１の先端（図示左端部）を載せ、中央仕切り５１に配置した第二の位置の支持部５１ａに支持部受け１３を載せることで、図４（ｄ）の状態にできる。
【００３２】
同様に、棚１１を冷蔵室２の側面に設けた第三の位置の支持部６１ｂに棚１１の先端を載せ、中央仕切り５１に配置した第四の支持部５１ｂに支持部受け１３を乗せることで図４（ｂ）の状態にできる。
【００３３】
このように、それぞれ高さの異なる第一の位置の支持部６１ａ、第二の位置の支持部５１ａと、第三の位置の支持部６１ｂ、第四の位置の支持部５１ｂと、棚１１の上面１１ａを載置面とするか、下面１１ｂを載置面とするか、の組み合わせにより、食品収納位置の高さを４段階に可変させることができる。すなわち、棚１１は、第一の位置の支持部６１ａと、この第一の位置と反対側で異なる高さの第二の位置に設けた支持部５１ａとを使用することで高さを変化できるように設置され、高さ可変のために用いる支持部の数は、棚１１の設定できる高さの数の２倍未満であればよい。
【００３４】
次に、図６，図７を用いて、冷蔵室の貯蔵空間を仕切る中央仕切り５１の構造について説明する。図６は、本発明の実施例における冷蔵室の空間を仕切る仕切りの構造を説明する図である。図７は、本発明の実施例における高さ可変棚と仕切りの嵌合関係を説明する図である。
【００３５】
図６に示すように、中央仕切り５１の側面には前後に延在するように、支持部５１ａ、支持部５１ａよりも上方の支持部５１ｂをそれぞれ設けている。支持部５１ａの中央よりも後方上面には、棚１１と嵌合するストッパ５２ａ（係止部）が設けられている。ストッパ５２ａの上方には、棚１１の脱落を防止するための脱落防止壁５３ａを設けている。また、支持部５１ａの中央よりも前側には、上方に立ち上がる突部５４ａを備えている。
【００３６】
同様に、支持部５１ｂにもストッパ５２ｂ（係止部），脱落防止壁５３ｂ，突部５４ｂを備える。
【００３７】
図７（ａ）に示すように、棚１１の上面１１ａを上向きにした状態の側面上部には、ストッパ受け１５ａを備える。棚１１の上面１１ａを上向きにした状態で、棚１１を支持部に奥まで所定位置に配置した際、ストッパ受け１５ａがストッパ５２ａ（又は５２ｂ）に嵌合して、棚１１の移動を規制する。また、突部５４ａ（又は５４ｂ）により、棚１１は前部で移動が規制されて、実使用状態で棚１１が意図せずに動くことを防止できる。
【００３８】
また、図７（ｂ）に示すように棚１１の下面１１ｂを上向きにした状態の側面壁１２には、前後に延在する支持部受け１３の後端付近にストッパ受け１５ｂを備える。棚１１の下面１１ｂを上向きにした状態で、棚１１を支持部に奥まで所定位置に配置した際、ストッパ受け１５ｂがストッパ５２ａ（又は５２ｂ）に嵌合して、棚１１の移動を規制する。また、この場合も突部５４ａ（又は５４ｂ）により、棚１１は前部で移動が規制されて、実使用状態で棚１１が意図せずに動くことを防止できる。
【００３９】
すなわち、棚１１を各支持部に奥まで所定位置に配置した際に、図７（ｃ）に示すように中央仕切り５１の支持部に設けたストッパ受け５２（ストッパ５２ａ，５２ｂ）と棚１１に設けたストッパ受け１５（ストッパ受け１５ａ，１５ｂ）が嵌合し、棚１１の前方への動きを規制して、脱落しないようにしている。
【００４０】
さらに、脱落防止壁５３がストッパ受け１５ａ，１５ｂの上方にあるため、棚１１の先端のみに食品を載置した際の浮き上がり及び脱落を防止している。
【００４１】
次に、図８から図１１を用いて、棚１１と冷蔵室２との関係について説明する。図８は、図４に示す冷蔵庫と異なる貯蔵室形状を説明する図である。図９は、図８に示す棚の取り付け状態を説明する要部断面説明図である。図１０は、図８に示す棚の高さ位置を変えた図である。図１１は、図１０に示す棚を差し換えて、下面を貯蔵物載置面とした状態を示す図である。
【００４２】
本実施例の冷蔵庫における冷蔵室２背面には、中央寄りであって冷蔵室２側へ突出する背面壁８２又は背面壁８２に設けた構造物を有する。本実施例では、冷蔵室２側に冷気ダクト８０が突出して形成されている。この冷気ダクト８０は、冷蔵室２の上下方向の略全長に亘って設けられている。
【００４３】
また、冷蔵室扉２ａ、２ｂの合わせ部の投影位置には、中央仕切り５１を配置し、左側の冷蔵室扉２ａを開くだけで棚１１上に貯蔵物を載置、取り出すことができる。また、右側の冷蔵室扉２ｂを開くだけで棚７１上に貯蔵物を載置、取り出すことができる。
【００４４】
棚１１の一端は、冷気ダクト８０の前方に設けられた中仕切り５１の支持部５１ａ（５１ｂ）に支持され、棚１１の他端は、冷蔵室２の側壁８１に設けられた支持部６１ａ（６１ｂ）に支持されている。
【００４５】
棚１１の奥行き寸法は、冷蔵室２の背面壁８２近くにまで至っている。すなわち、棚１１の中央寄りの後端は、背面壁８２又は背面壁８２に設けた構造物の奥行き寸法内に位置している。これにより、棚１１の食品面積を拡大している。
【００４６】
また、図９に示すように、棚１１の左後端８５及び右後端８６は、中央寄りの後端よりも前方側に位置している。さらに、左後端８５及び右後端８６は左右対称となるような形状である。図９においては、棚１１の右後端８６は、冷気ダクト８０の突出した曲面８０ａ形状を回避するように形成している。
【００４７】
一方、棚１１の左後端８５も、右後端８６と線対称となるように形成されている。これは、棚１１の上面１１ａと下面１１ｂを入れ換えて、下面１１ｂを貯蔵物載置面とした場合でも、冷気ダクト８０の突出形状を避けるためである（図１１参照）。
【００４８】
なお、図１１では棚の左後端８５及び右後端８６を前方に向かうに従って拡幅する傾斜状にしているが、この形状に限定するものではない。例えば、断面多角形状や断面円弧状であってもよく、冷気ダクト８０の突出部を避ける形状であればよい。また、本実施例では断面が円弧状の冷気ダクト８０を貯蔵室の背面壁８２に配置する構成を説明したが、これに限定されず、背面壁８２又は背面壁８２に設けた構造物が突出した様々な形状にも適用できる。
【００４９】
本実施例の構成によれば、棚１１の上面１１ａと下面１１ｂを裏返した場合でも、左後端８５及び右後端８６が内箱８３の角部８４及び冷気ダクト８０の曲面８０ａに当接しない形状としている。例えば、図９に示すように内箱８３の角部８４が直角ではなく、曲面状である場合、冷気ダクト８０の曲面８０ａよりも曲率を小さく設定する。これにより、棚１１（左後端８５）と内箱８３（角部８４）との間には、隙間８７が形成される。この隙間８７は、冷気通路８７として機能する。すなわち、冷気吐出口８８から吐出された冷気は、棚１１上を流れて、大部分は扉側（前方）に流れるが、一部は棚１１（左後端８５）と内箱８３（角部８４）との間の冷気通路８７を通り、その下方に位置する棚上に流れる。よって、棚１１の中央寄りの後端が冷気ダクト８０の奥行き寸法内に位置する場合でも、棚１１上の前端から後端までを均一に冷却することができる。
【００５０】
ここで、冷気ダクト８０は、冷凍室５背部の冷却器室（図示せず）内に設けられた送風機（図示せず）によって送り出された冷気を冷蔵室２内の棚１１、７１の上面にまで導く。従って、冷気ダクト８０は先の冷却器室から冷蔵室２上端まで至る構成である。
【００５１】
図１０において、冷気吐出口８８は冷気ダクト８８に連通して形成されている。棚１１は、図４（ａ）から図４（ｄ）の何れの高さ位置であっても、冷気吐出口８８より下方に位置している。これにより、何れの高さ位置であっても、冷気吐出口８８が棚１１によって塞がれずに、棚１１上面にスムーズに冷気が供給されることで、均一に冷却することができる。
【００５２】
なお、図９に示すように、棚１１と隣り合う棚７１にも冷気ダクト８０の曲面８０ａを避けた左後端７１ａ、及び内箱８３の角部８５を避けた右後端７１ｂ形状としている。しかし、棚７１は棚１１と異なり、上面と下面を入れ替えて使用する機能を備えていない。このことより、左後端７１ａ、右後端７１ｂが冷気ダクト８０の曲面８０ａ、内箱８３の角部８５をそれぞれ避けた形状としておけばよく、必ずしも左右対称形状とする必要はない。但し、棚７１も上面と下面を入れ替えて使用する機能を備える場合、棚１１で説明したのと同様、棚７１の中央寄りの後端が冷気ダクト８０の奥行き寸法内に位置させつつ、左後端７１ａ、右後端７１ｂを対称形状となるように構成することで、貯蔵物載置面積を拡大させながら、上面と下面の入れ替えを容易とすることができる。
【００５３】
本発明は以上説明した構成であるから、次の効果が得られる。
【００５４】
すなわち、貯蔵室内に配置された棚と、前記貯蔵室の中央寄りであって該貯蔵室側へ突出する背面壁又は該背面壁に設けた構造物と、前記背面壁又は前記構造物の前方に位置する中央仕切りと、前記貯蔵室の側壁及び前記中央仕切りにそれぞれ設けられて、前記棚の上面を貯蔵物載置面とした状態、又は下面を貯蔵物載置面とした状態で支持する支持部と、を備え、前記棚の中央寄りの後端は、前記背面壁又は前記構造物の奥行き寸法内に位置し、前記棚の左後端及び右後端は、前記中央寄りの後端よりも前方に位置して左右対称となるように形成する。
【００５５】
これにより、貯蔵物載置面積を拡大させながら、上面と下面の入れ替えを容易とすることができる。
【００５６】
また、前記貯蔵室側へ突出する前記背面壁又は前記構造物は冷気ダクトを構成し、該冷気ダクトに形成した冷気吐出口よりも下方に前記棚が位置して、前記貯蔵室内の背面角部と前記棚との間には冷気通路が形成する。
【００５７】
これにより、棚上をムラなく冷却することができ、棚の何れの位置に載置した貯蔵物であっても、所定の温度帯域で冷却貯蔵することができる。
【符号の説明】
【００５８】
１  冷蔵庫本体
２  冷蔵室（貯蔵室）
１１，２１，３１，７１，７２  棚
１１ａ，２１ａ，３１ａ  上面（貯蔵物載置面，第一の面）
１１ｂ，２１ｂ，３１ｂ  下面（貯蔵物載置面，第二の面）
１２，２２，３２  側面壁（立ち上り部）
１３，２３，３３  支持部受け
１５ａ，１５ｂ  ストッパ受け
３４  延出部
５１  中央仕切り
５１ａ  支持部（第二の位置）
５１ｂ  支持部（第四の位置）
５２ａ，５２ｂ  ストッパ（係止部）
５３ａ，５３ｂ  脱落防止壁
５４ａ，５４ｂ  突部
６１  支持部
６１ａ  支持部（第一の位置）
６１ｂ  支持部（第三の位置）
７１  棚      ７１ａ  傾斜面
７２  棚
８０  冷気ダクト（構造物）
８０ａ  曲面
８１  側壁
８２  背面壁
８３  内箱
８４，８９  角部
８５  左後端
８６  右後端
８７  隙間（冷気通路）
８８  冷気吐出口
【図１】
2014035164.tif 000003
【図２】
2014035164.tif 000004
【図３】
2014035164.tif 000005
【図４】
2014035164.tif 000006
【図５】
2014035164.tif 000007
【図６】
2014035164.tif 000008
【図７】
2014035164.tif 000009
【図８】
2014035164.tif 000010
【図９】
2014035164.tif 000011
【図１０】
2014035164.tif 000012
【図１１】
2014035164.tif 000013